(57)【特許請求の範囲】
【請求項１】
ネットワークに接続されたコンピュータから、画像処理装置にプリントジョブを実行させる場合にコンピュータのディスプレイに表示されるプリンタドライバのモード設定画面を再現するための情報である画面情報及びメニュー情報を取得する情報取得手段と、
取得した画面情報及びメニュー情報を基に、オペレーションパネル上にプリンタドライバのモード設定画面を再現するモード設定画面再現手段と、
前記情報取得手段により取得した画面情報及びメニュー情報を記憶する記憶手段と、
画像データを受信した際に、その画像データを生成したプリンタドライバを判別する判別手段と、
を備え、
前記判別手段により判別されたプリンタドライバのモード設定画面を再現するための画面情報及びメニュー情報が、前記記憶手段に記憶されていない場合に、前記情報取得手段は、前記コンピュータから前記プリンタドライバのモード設定画面を再現するための画面情報及びメニュー情報を取得することを特徴とする画像処理装置。
【請求項２】
前記再現したモード設定画面を利用して、読み込み済のプリントジョブのモードを設定または変更可能なモード設定・変更手段を備えている請求項１に記載の画像処理装置。
【請求項３】
前記判別手段は、一旦送信され、記憶手段に格納後、再度呼び出されたプリントジョブを生成したプリンタドライバを判別し、
前記モード設定画面再現手段は、前記判別手段で判別されたプリンタドライバのモード設定画面を再現するための画面情報及びメニュー情報を前記記憶手段から読み出して、前記オペレーションパネル上に前記プリントジョブを生成したプリンタドライバのモード設定画面を再現する請求項１または２に記載の画像処理装置。
【請求項４】
ネットワークに接続された他の画像処理装置から、該画像処理装置のモード設定画面を再現するための画面情報およびメニュー情報を取得する情報取得手段と、
取得した画面情報およびメニュー情報を基に、オペレーションパネル上に前記他の画像処理装置のモード設定画面を再現するモード設定画面再現手段と、
前記情報取得手段により取得した画面情報及びメニュー情報を記憶する記憶手段と、
ジョブが転送されてきた際、転送元の画像処理装置を判別する判別手段と、
を備え、
前記判別手段で判別された転送元の画像処理装置のモード設定画面を再現するための画面情報およびメニュー情報が、前記記憶手段に記憶されていない場合に、前記情報取得手段は、前記転送元の画像処理装置から、モード設定画面を再現するための画面情報およびメニュー情報を取得することを特徴とする画像処理装置。
【請求項５】
前記再現したモード設定画面を利用して、前記他の画像処理装置から転送されたジョブのモードを設定または変更可能な設定・変更手段を備えている請求項４に記載の画像処理装置。
【請求項６】
前記判別手段は、一旦送信され、記憶手段に格納後、再度呼び出された転送ジョブの転送元の画像処理装置を判別し、
前記モード設定画面再現手段は、前記判別手段で判別された画像処理装置のモード設定画面を再現するための画面情報及びメニュー情報を前記記憶手段から読み出して、前記オペレーションパネル上に前記転送元の画像処理装置のモード設定画面を再現する請求項５または６に記載の画像処理装置。
【発明の詳細な説明】
【０００１】
【発明の属する技術分野】
この発明は、デジタル複写機、プリンタ、ファクシミリその他の画像形成装置等に用いられる画像処理装置ならびにプリンタドライバに関する。
【０００２】
【従来の技術】
画像処理装置の１つであるデジタル複写機やプリンタ等は、独立的に使用される他に、最近では、複数のクライアントで共有して使用できるように、クライアントとなる複数のパーソナルコンピュータにネットワークを介して接続されることが多くなってきている。
【０００３】
このようにパーソナルコンピュータに接続されたデジタル複写機等に、コンピュータ側で生成したプリントジョブを実行させる場合、ユーザーは、コンピュータのディスプレイに表示されたプリンタドライバのモード設定画面を参照しながら操作を行うことができる。
【０００４】
一方また、デジタル複写機等に一旦送信されたプリントジョブをデジタル複写機内で格納しておき、デジタル複写機側の操作でメモリリコールすることが可能な機種も知られている。
【０００５】
【発明が解決しようとする課題】
ところが、従来では、デジタル複写機に一旦送信されたプリントジョブを、複写機側でメモリリコールする場合には、複写機側のモード設定画面によってプリントジョブのモード確認、設定、変更を行わなければならなかった。
【０００６】
このため、特に、パーソナルコンピュータに接続されたデジタル複写機を主にプリンタとして使うユーザーにとっては、コンピュータ側のプリンタドライバのモード設定画面の操作方法のみならず、デジタル複写機のモード設定画面の操作方法も覚えておかなければならず、面倒であった。
【０００７】
このような問題は、デジタル複写機等の画像処理装置同士がネットワークを介して相互に接続され、装置相互間でジョブを転送する場合において、転送先の画像処理装置と転送元の画像処理装置のモード設定画面が相違している場合にも、同様に発生するものであった。
【０００８】
なお、特開平８−３２９００５号公報、特開平６−３２６７９７号公報、特開平５−１２２４２４号公報等には、複写機を操作しているのと同様の感覚で、パーソナルコンピュータ側のモード設定画面により複写機を操作できるようにした構成が開示されているが、パーソナルコンピュータ側の操作と同様の感覚で複写機側の操作を行う点については、開示されていない。
【０００９】
この発明は、上記実情に鑑みてなされたものであり、コンピュータ側で生成されたプリントジョブや他の画像処理装置から転送されたジョブを、プリントジョブを受信した画像処理装置あるいは転送先の画像処理装置側でメモリリコールする場合等に、コンピュータや転送元の画像処理装置における操作と同様の感覚でモード確認等を行うことができる、使い勝手の良い画像処理装置を提供し、さらにはこの画像処理装置を実現するためのプリンタドライバを提供することを課題とする。
【００１０】
【課題を解決するための手段】
上記課題は、ネットワークに接続されたコンピュータから、画像処理装置にプリントジョブを実行させる場合にコンピュータのディスプレイに表示されるプリンタドライバのモード設定画面を再現するための情報である画面情報及びメニュー情報を取得する情報取得手段と、取得した画面情報及びメニュー情報を基に、オペレーションパネル上にプリンタドライバのモード設定画面を再現するモード設定画面再現手段と、前記情報取得手段により取得した画面情報及びメニュー情報を記憶する記憶手段と、画像データを受信した際に、その画像データを生成したプリンタドライバを判別する判別手段と、を備え、前記判別手段により判別されたプリンタドライバのモード設定画面を再現するための画面情報及びメニュー情報が、前記記憶手段に記憶されていない場合に、前記情報取得手段は、前記コンピュータから前記プリンタドライバのモード設定画面を再現するための画面情報及びメニュー情報を取得することを特徴とする画像処理装置によって解決される。
【００１１】
この画像処理装置では、前記情報取得手段により、画像処理装置にプリントジョブを実行させる場合にコンピュータのディスプレイに表示されるプリンタドライバのモード設定画面を再現するための情報である画面情報およびメニュー情報が取得されるとともに、取得された画面情報およびメニュー情報を基に、オペレーションパネル上にプリンタドライバのモード設定画面が再現されるので、この再現画面によって、モードの確認等をコンピュータでの画面操作と同じ操作感で手軽に行える。また、受信画像データを生成したプリンタドライバの画面情報およびメニュー情報が前記記憶手段に記憶されていなくても、コンピュータからこれら情報が取得されるとともに、取得された情報を基にして、モード設定画面をオペレーションパネル上に再現可能となる。
【００１２】
上記画像処理装置において、前記再現したモード設定画面を利用して、読み込み済のプリントジョブのモードを設定または変更可能なモード設定・変更手段を備えている構成としても良い。この場合には、読み込み済のプリントジョブのモードの設定や変更を容易に行える。
【００１３】
また、前記判別手段は、一旦送信され、記憶手段に格納後、再度呼び出されたプリントジョブを生成したプリンタドライバを判別し、前記モード設定画面再現手段は、前記判別手段で判別されたプリンタドライバのモード設定画面を再現するための画面情報及びメニュー情報を前記記憶手段から読み出して、前記オペレーションパネル上に前記プリントジョブを生成したプリンタドライバのモード設定画面を再現する構成としても良い。
【００１４】
この場合には、一旦送信され、記憶手段に格納後、再度呼び出されたプリントジョブのモードの確認、変更などを、コンピュータ側の操作と同様の感覚で容易に行うことができる。
【００１９】
また、前記課題は、ネットワークに接続された他の画像処理装置から、該画像処理装置のモード設定画面を再現するための画面情報およびメニュー情報を取得する情報取得手段と、取得した画面情報およびメニュー情報を基に、オペレーションパネル上に前記他の画像処理装置のモード設定画面を再現するモード設定画面再現手段と、前記情報取得手段により取得した画面情報及びメニュー情報を記憶する記憶手段と、ジョブが転送されてきた際、転送元の画像処理装置を判別する判別手段と、を備え、前記判別手段で判別された転送元の画像処理装置のモード設定画面を再現するための画面情報およびメニュー情報が、前記記憶手段に記憶されていない場合に、前記情報取得手段は、前記転送元の画像処理装置から、モード設定画面を再現するための画面情報およびメニュー情報を取得することを特徴とする画像処理装置によっても解決される。
【００２０】
この画像処理装置では、前記情報取得手段により、他の画像処理装置（たとえば他の画像形成装置）からその装置のモード設定画面を再現するための画面情報およびメニュー情報が取得されるとともに、取得された画面情報およびメニュー情報を基に、オペレーションパネル上に他の画像処理装置のモード設定画面が再現されるので、この再現画面からモードの確認等を、他の処理装置での画面操作と同じ操作感で手軽に行える。また、前記画面情報およびメニュー情報が前記記憶手段に記憶されていなくても、前記転送元の画像処理装置から画面情報およびメニュー情報が取得され、取得情報を基にして、転送元の画像処理装置のモード設定画面をオペレーションパネル上に再現可能となる。
【００２１】
この画像処理装置において、再現したモード設定画面を利用して、前記他の画像処理装置から転送されたジョブのモードを設定または変更可能な設定・変更手段を備えている構成としても良い。
【００２２】
この場合には、他の画像処理装置から転送されたジョブのモードの設定や変更を容易に行える。
【００２３】
また、前記判別手段は、一旦送信され、記憶手段に格納後、再度呼び出された転送ジョブの転送元の画像処理装置を判別し、前記モード設定画面再現手段は、前記判別手段で判別された画像処理装置のモード設定画面を再現するための画面情報及びメニュー情報を前記記憶手段から読み出して、オペレーションパネル上に転送元の画像処理装置のモード設定画面を再現する構成としても良い。
【００２４】
この場合には、そのジョブのモードの確認または設定または変更を、転送元のオペレーションパネルの画面操作と同じ操作感で手軽に行える。
【００３２】
【発明の実施の形態】
以下、この発明の実施形態を図面に基づいて説明する。
【００３３】
図１は、この発明の一実施形態にかかる画像処理装置を含む画像形成システムを示す構成図である。
【００３４】
図１において、画像形成システム１は、画像処理装置（画像形成装置）としてのデジタル複写機２と、外部の複数のクライアント用パーソナルコンピュータ（ＰＣという）３・・・、他の画像処理装置（画像形成装置）としての外部デジタル複写機４・・・とを備えており、これらデジタル複写機２、ＰＣ３および外部デジタル複写機４は、それぞれネットワークＮＷを介して相互に接続されている。
【００３５】
前記デジタル複写機２は、図２に示すように、データ送受信部２１と、画像読み取り装置２２およびデータ取得・解析部２３を有する画像入力ブロック２４と、オペレーションパネル２５と、ジョブ管理部２７およびモード設定画面管理部２８を有するジョブ・モード管理ブロック部２９と、ジョブ記憶部３０およびモード設定画面記憶部３１を有する記憶ブロック３２と、制御部３４と、画像形成部３５とを備えている。
【００３６】
前記画像読み取り装置２２は、原稿台にセットされた原稿の画像を読み取る公知構成のものである。
【００３７】
前記データ取得・解析部２３は、前記データ送受信部２１を介して受信したＰＣ３もしくは外部デジタル複写機４からのデータなどを解析するものであり、前記ＰＣ３のプリンタドライバ３８や前記外部デジタル複写機４のモード設定部の画面情報（例えばモード設定画面の表示に関する情報）およびメニュー情報（例えばモード設定項目に関する情報）を取得する手段を構成している。
【００３８】
前記オペレーションパネル２５は、ユーザーが入力操作に使う操作部２６の他に、入力操作した内容や前記データ送受信部２１で受信したデータ内容等を表示する表示部４１などから構成されている。前記操作部２６は、図３に示すように、スタートボタン４２、ストップボタン４３、モードの設定や変更などを確定するために使用するＥｎｔｅｒキー４４、さらには、テンキー４５などからなる。また、前記表示部４１は、たとえば、ＬＣＤからなり、メッセージ表示領域４６やモード表示領域４７などからなり、後述するモード設定画面などを表示可能である。
【００３９】
前記ジョブ管理部２７は、ジョブのジョブ記憶部３０への格納を管理したり、プリンタドライバの種類、プリンタドライバのバージョン、そのプリンタドライバが動作しているオペレーティングシステム（ＯＳという）およびＯＳのバージョン等のジョブ記憶部３０への格納を管理する。さらに、ジョブ管理部２７は、ジョブが、コンピュータ３のプリンタドライバ３８で生成されたジョブであるか否か、あるいは外部デジタル複写機４から転送されてきたジョブであるか否かを判別し、さらにはそのジョブを生成したプリンタドライバ３８やジョブを転送した外部デジタル複写機４を判別する機能をも有している。
【００４０】
前記モード設定画面管理部２８は、前記データ送受信部２１を介してデータ取得・解析部２３で取得したプリンタドライバ３８のモード設定部の画面情報およびメニュー情報や、外部デジタル複写機４からのモード設定部の画面情報およびメニュー情報を基に、プリンタドライバ３８や外部デジタル複写機４のモード設定画面を再現して前記表示部４１に表示させるものであり、モード設定画面再現手段として機能する。また、再現したモード設定画面を用いて、ＰＣ３から送られてきたプリントジョブや外部デジタル複写機４から転送されてきたジョブのモードを設定あるいは変更する手段としても機能する。さらに、モード設定画面管理部２８は、所定のプリンタドライバ３８や外部デジタル複写機４のモード設定部の画面情報及びメニュー情報が、後述するモード設定画面記憶部３１に記憶されているか否かを判断する機能をも有している。
【００４１】
前記ジョブ記憶部３０は、ジョブ管理部２７の指示により、画像読み取り装置２２で読み取った画像データ、ＰＣ３からのプリントジョブ、外部デジタル複写機４からの転送ジョブを記憶し、さらにはプリンタドライバ３８を特定するための情報（プリンタドライバの種類、プリンタドライバのバージョン、そのプリンタドライバが動作しているＯＳおよびＯＳのバージョン）や、転送元の外部デジタル複写機４を特定するための情報を記憶する。
【００４２】
前記モード設定画面記憶部３１は、モード設定画面管理部２８の指示により、前記プリンタドライバ３８や外部デジタル複写機４の画面情報およびメニュー情報等を記憶する。
【００４３】
前記制御部３４は、デジタル複写機２の全体動作を統括制御するものである。
【００４４】
前記画像形成部３５は、ジョブの内容に従って、例えば電子写真方式などにより、画像データを用紙にプリント処理するものである。
【００４５】
前記ＰＣ３はプリンタドライバ３８を備え、プリンタドライバ３８は、デジタル複写機２との間でデータの送受信を行うデータ送受信部３９を備えている。
【００４６】
前記外部デジタル複写機４は、デジタル複写機２と同様の構成であり、デジタル複写機２やＰＣ３とデータの送受信を行うデータ送受信部４１を備えている。
【００４７】
次に、図１〜３に示した画像処理システムの動作を実施例１〜４に分けて説明する。
実施例１
この例は、ＰＣ３からの画像データの受信時に、プリンタドライバのモード設定部の画面情報及びメニュー情報を取得し、記憶しておき、メモリリコール等されたときに、記憶した画面情報、メニュー情報を読み出してモード設定画面を再現するものである。
＜ＰＣ３の画像データのプリント時＞
ＰＣ３上のアプリケーションで作成した文書を、プリンタドライバ３８を用いてデジタル複写機２に送信した時の、デジタル複写機２における処理を図４に示すフローチャートに従って説明する。なお、以下の説明ならびに図面では、ステップをＳと略記する。
【００４８】
まず、Ｓ２０１で、デジタル複写機２は、データ送受信部２１を介してプリントジョブを受信し、Ｓ２０２では、そのプリントジョブを生成したプリンタドライバを特定するための情報として、プリンタドライバの種類、プリンタドライバのバージョン、そのプリンタドライバが動作しているＯＳ、ＯＳのバージョンを、データ取得・解析部２３の解析によって取得する。
【００４９】
Ｓ２０３では、ジョブ管理部２７が、デジタル複写機２が取得したプリンタドライバの種類、プリンタドライバのバージョン、そのプリンタドライバが動作しているＯＳ、ＯＳのバージョンについて新規であるか否か、換言すればそれらの情報がジョブ記憶部３０に記憶されているか否かを判断し、新規であれば（Ｓ２０３の判定がＹＥＳ）、Ｓ２０４で、データ取得・解析部２３は、前記ＰＣ３に対してプリンタドライバのモード設定部の画面情報およびメニュー情報を送信するように、データ送受信部２１を介して要求する。
【００５０】
この後Ｓ２０５では、ＰＣ３からのプリンタドライバのモード設定部の画面情報およびメニュー情報の受信が完了したか否かを制御部３４が判断し、完了していないときは（Ｓ２０５の判定がＮＯ）、完了するまで待つ。画面情報およびメニュー情報の受信が完了すると（Ｓ２０５の判定がＹＥＳ）、Ｓ２０６で、取得した画面情報およびメニュー情報をモード設定画面記憶部３１に格納するとともに、プリンタドライバの種類、プリンタドライバのバージョン、そのプリンタドライバが動作しているＯＳ、ＯＳのバージョンを、プリントジョブと一緒にジョブ記憶部３０に格納する。
【００５１】
この後、Ｓ２０７では、画像形成部３５が前記プリントジョブを読み出し、用紙に画像をプリントして処理を終了する。
【００５２】
なお、前記プリンタドライバの種類、プリンタドライバのバージョン、そのプリンタドライバが動作しているＯＳ、ＯＳのバージョンが新規ではないとき、換言すればそれらの情報が既にジョブ記憶部３０に記憶されているときは（Ｓ２０３の判定がＮＯ）、そのプリンタドライバのモード設定部の画面情報およびメニュー情報が既にモード設定画面記憶部３１に格納されていることから、そのままＳ２０７の画像形成処理に進む。こうして、新規なプリンタドライバについて、そのモード設定部の画面情報およびメニュー情報がモード設定画面記憶部３１に蓄積される。
【００５３】
つぎに、デジタル複写機２からプリンタドライバのモード設定部の画面情報およびメニュー情報を送信するように要求された際のＰＣ３の応答処理手順を図５に示すフローチャートに従って説明する。
【００５４】
Ｓ３０１では、デジタル複写機２からプリンタドライバのモード設定部の画面情報およびメニュー情報を送信するように要求があったか否かを判断し、その要求があったときは（Ｓ３０１の判定がＹＥＳ）、Ｓ３０２で、該当するプリンタドライバ３８の種類およびバージョンなどを特定し、Ｓ３０３で、特定したプリンタドライバ３８の種類およびバージョンなどと共に、プリンタドライバ３８のモード設定部の画面情報およびメニュー情報を、データ送受信部３９を介してデジタル複写機２に送信し終了する。前記要求がなければ（Ｓ３０１の判定がＮＯ）、そのまま終了する。
＜ＰＣ３のプリントジョブのモードを確認、設定、変更する時＞
デジタル複写機２において、ＰＣ３からのプリントジョブをジョブ記憶部３０から読み出し（メモリリコール）、そのモードを確認、設定、変更する時の処理手順を図６に示すフローチャートに従って説明する。
【００５５】
いま、前記オペレーションパネル２５の表示部４１のモード設定画面（図３）Ｐ１において、「ジョブリスト」を操作すると、図７に示すジョブリスト画面Ｐ２に遷移する。
【００５６】
Ｓ４０１で、ユーザーがジョブリストからジョブを選択する。選択するジョブは、プリント待機中のジョブ、プリント中のジョブ、プリント済のジョブのいずれであってもよい。
【００５７】
図７に示すジョブリスト画面Ｐ２において、ユーザーがジョブを選択し、「Ｅｎｔｅｒ」キーを押すと、Ｓ４０２で、ジョブ管理部２７は、選択されたジョブがプリントジョブであるか否かを判断する。プリントジョブであると（Ｓ４０２判定がＹＥＳ）、Ｓ４０３では、ジョブ管理部２７が、そのプリントジョブを生成したプリンタドライバの種類、プリンタドライバのバージョン、そのプリンタドライバが動作しているＯＳおよびＯＳのバージョンを、ジョブ記憶部３０から読み出す。
【００５８】
この後、Ｓ４０４では、読み出したプリンタドライバの種類、プリンタドライバのバージョン、そのプリンタドライバが動作しているＯＳおよびＯＳのバージョンから、モード設定画面管理部３２は、対応するプリンタドライバのモード設定部の画面情報及びメニュー情報を前記モード設定画面記憶部３１から読み出したのち、Ｓ４０５で、モード設定画面管理部３２は、そのプリントジョブを生成したプリンタドライバのモード設定画面を、前記オペレーションパネル２５の表示部４１に再現して、図８に示すように、画面Ｐ３として表示させる。
【００５９】
Ｓ４０６では、図８に示すモード確認／変更画面Ｐ３を利用して、モードの確認、設定あるいは変更操作が行われる。「Ｅｎｔｅｒ」キーが押されることで、モードの変更等があったときはそれが反映される。
【００６０】
ついで、Ｓ４０７では、「閉じる」キーあるいは「ＯＫ」キーの押し下げ操作があったか否かを制御部３４が判断し、押し下げ操作がなければ（Ｓ４０７の判定がＮＯ）、Ｓ４０８でプリント可能であるか否かを判断し、プリント可能であると（Ｓ４０８の判定がＹＥＳ）、Ｓ４０９では、「Ｓｔａｒｔ」キー４２の押し下げ操作があったか否かを判断する。「Ｓｔａｒｔ」キー４２の押し下げ操作があったときは（Ｓ４０９の判定がＹＥＳ）、Ｓ４１０で、変更等されたモードで用紙にプリントする。プリント可能でないときや（Ｓ４０８の判定がＮＯ）、「Ｓｔａｒｔ」キー４２の押し下げ操作がないときは（Ｓ４０９の判定がＮＯ）、Ｓ４０７に戻る。Ｓ４０７において、「閉じる」キーあるいは「ＯＫ」キーが押されたときは（Ｓ４０７の判定がＹＥＳ）、そのまま終了する。
【００６１】
なお、Ｓ４０１で選択されたジョブがプリントジョブではないと（Ｓ４０２判定がＮＯ）、Ｓ４１１で、ジョブ管理部２７が、外部デジタル複写機４から転送されたジョブであるか否かを判断し、外部デジタル複写機４から転送されたジョブでないときは（Ｓ４１１の判定がＮＯ）、Ｓ４０６に進む。この時は、デジタル複写機２自身で読み込んだジョブであるため、デジタル複写機２のモード設定画面がそのまま表示される。外部デジタル複写機４から転送されたジョブであるときは（Ｓ４１１の判定がＹＥＳ）、図１３のＳ９０１に進む。
【００６２】
このように、メモリリコールにより、ＰＣ３からのプリントジョブをジョブ記憶手段３０から読み出した時に、対応するプリンタドライバのモード設定部の画面情報およびメニュー情報を基に、プリンタドライバのモード設定画面Ｐ３を、デジタル複写機２におけるオペレーションパネル２５の表示部４１に再現させるので、ユーザーは、デジタル複写機２でＰＣ３の画面に対する操作と同じ操作感で、プリントジョブのモードの確認や変更などを容易に行うことが可能となる。
実施例２
この例は、プリンタドライバのモード設定部の画面情報及びメニュー情報を、デジタル複写機２に記憶しておくことなく、メモリリコール等されたときに、その都度それらの情報を外部から取得するものである。
＜ＰＣ３の画像データのプリント時＞
まず、ＰＣ３上のアプリケーションで作成した文書を、プリンタドライバ３８を用いてデジタル複写機２に送信した時の、デジタル複写機２における処理を図９に示すフローチャートに従って説明する。
【００６３】
Ｓ５０１で、データ送受信部２１を介して、プリントジョブを受信すると、Ｓ５０２では、そのプリントジョブを生成したプリンタドライバの種類、プリンタドライバのバージョン、そのプリンタドライバが動作しているＯＳ、ＯＳのバージョンを、データ解析部２３の解析により、取得する。
【００６４】
この後、Ｓ５０３では、取得したプリンタドライバの種類、プリンタドライバのバージョン、そのプリンタドライバが動作しているＯＳ、ＯＳのバージョンを、受信したジョブと共に前記ジョブ記憶部３０に格納する。
【００６５】
次いで、Ｓ５０４では、画像形成部３５が前記プリントジョブを読み出して用紙に画像を形成する。
【００６６】
＜ＰＣプリントジョブのモードを確認、設定、変更する時＞
デジタル複写機２において、ＰＣ３からのプリントジョブをメモリリコールし、そのモードを確認、設定、変更する時の処理手順を図１０に示すフローチャートに従って説明する。
【００６７】
いま、図３に示すモード設定画面Ｐ１において、「ジョブリスト」を操作すると、図７に示すジョブリスト画面Ｐ２に遷移する。
【００６８】
Ｓ６０１では、ユーザーがジョブリストからジョブを選択する。選択するジョブは、プリント待機中のジョブ、プリント中のジョブ、プリント済のジョブのいずれであってもよい。
【００６９】
図７に示すジョブリスト画面Ｐ２において、ユーザーがジョブを選択し、「Ｅｎｔｅｒ」キーを押すと、Ｓ６０２で、ジョブ管理部２７が、選択されたジョブがプリントジョブであるか否かを判断する。プリントジョブであると（Ｓ６０２判定がＹＥＳ）、Ｓ６０３で、ジョブ管理部２７が、そのプリントジョブを生成したプリンタドライバの種類、プリンタドライバのバージョン、そのプリンタドライバが動作しているＯＳ、ＯＳのバージョンを、ジョブ記憶部３０から読み出す。
【００７０】
この後、Ｓ６０４では、読み出したプリンタドライバの種類、プリンタドライバのバージョン、そのプリンタドライバが動作しているＯＳ、ＯＳのバージョンから、対応するプリンタドライバのモード設定部の画面情報及びメニュー情報を、外部から取得する。即ち、データ取得・解析部２３が、データ送受信部２１を介して外部装置に、対応するプリンタドライバのモード設定部の画面情報及びメニュー情報の送信要求を出す。外部装置としては、そのプリントジョブを作成したＰＣ３であっても良いし、他のＰＣ３、外部デジタル複写機４であっても良い。ただし、他のＰＣ３、外部デジタル複写機４の場合は、対応するプリントドライバのモード設定部の画面情報及びメニュー情報を有していることが必要である。
【００７１】
そして、Ｓ６０５で、モード設定画面管理部２８は、外部から取得したプリンタドライバのモード設定部の画面情報及びメニュー情報を基に、図８に示すように、前記オペレーションパネル２５の表示部４１にモード設定画面Ｐ３を再現・表示させる。
【００７２】
Ｓ６０６では、前記表示部４１に再現されたモード設定画面Ｐ３を利用して、モードの確認、設定あるいは変更操作が行われる。「Ｅｎｔｅｒ」キーが押されることで、モード変更等があったときはそれが反映される。
【００７３】
ついで、Ｓ６０７では、「閉じる」キーあるいは「ＯＫ」キーの押し下げ操作があったか否かを制御部３４が判断し、押し下げ操作がなければ（Ｓ６０７の判定がＮＯ）、Ｓ６０８でプリント可能であるか否かを判断し、プリント可能であると（Ｓ６０８の判定がＹＥＳ）、Ｓ６０９では、「Ｓｔａｒｔ」キー４２の押し下げ操作があったか否かを判断する。「Ｓｔａｒｔ」キー４２の押し下げ操作があったときは（Ｓ６０９の判定がＹＥＳ）、Ｓ６１０で、変更等されたモードで用紙にプリントする。プリント可能でないときや（Ｓ６０８の判定がＮＯ）、「Ｓｔａｒｔ」キー４２の押し下げ操作がないときは（Ｓ６０９の判定がＮＯ）、Ｓ６０７に戻る。Ｓ６０７において、「閉じる」キーあるいは「ＯＫ」キーが押されたときは（Ｓ６０７の判定がＹＥＳ）、終了する。
【００７４】
なお、Ｓ６０１で、選択されたジョブがプリントジョブでなければ（Ｓ６０２判定がＮＯ）、Ｓ６１１で、ジョブ管理部２７が、外部デジタル複写機４から転送されたジョブであるか否かを判断し、外部デジタル複写機４から転送されたジョブでないときは（Ｓ６１１の判定がＮＯ）、Ｓ６０６に進む。このときは、デジタル複写機２のモード設定画面が表示される。外部デジタル複写機４から転送されたジョブであるときは（Ｓ６１１の判定がＹＥＳ）、図１５のＳ１００１に進む。
【００７５】
このように、この実施例では、受信した画像データを生成したプリンタドライバの画面情報及びメニュー情報が、前記モード設定画面記憶部３１に記憶されていなくても、外部から対応するプリンタドライバのモード設定部の画面情報およびメニュー情報を取得するので、取得情報を基にしてモード設定画面をオペレーションパネル２５を表示部４１に再現できる。
実施例３
この例は、外部デジタル複写機４からのジョブの転送時に、その外部デジタル複写機４のモード設定部の画面情報及びメニュー情報を取得し、記憶しておき、メモリリコール等されたときに、記憶した画面情報、メニュー情報を読み出してモード設定画面を再現するものである。
＜外部デジタル複写機４から転送されたジョブをプリントする時＞
デジタル複写機２に外部デジタル複写機４からジョブが転送されたときの、デジタル複写機２における処理を図１１に示すフローチャートに従って説明する。
【００７６】
Ｓ７０１で、デジタル複写機２は、データ送受信部２１を介して外部デジタル複写機４から転送されたジョブを受信し、Ｓ７０２では、ジョブ管理部２７がジョブ転送元の外部デジタル複写機４が新規のものであるか否か、換言すればその複写機がジョブ記憶部３０に記憶されているか否かを判断し、新規であれば（Ｓ７０２の判定がＹＥＳ）、Ｓ７０３で、データ取得・解析部２３は、転送元の外部デジタル複写機４に対してモード設定部の画面情報およびメニュー情報を送信するように要求する。
【００７７】
この後、Ｓ７０４では、転送元の外部デジタル複写機４からのモード設定部の画面情報およびメニュー情報の受信が完了したか否かを制御部３４が判断し、完了していないときは（Ｓ７０４の判定がＮＯ）、完了するまで待つ。画面情報およびメニュー情報の受信が完了すると（Ｓ７０４の判定がＹＥＳ）、Ｓ７０５で、取得した画面情報およびメニュー情報をモード設定画面記憶部３１に格納するとともに、転送元の外部デジタル複写機４を特定する情報を、転送ジョブと一緒に前記記憶手段３１に格納する。
【００７８】
この後、Ｓ７０６では、画像形成部２５が前記転送ジョブを読み出して用紙に画像をプリントして処理を終了する。
【００７９】
なお、前記転送元のデジタル複写機４が新規ではないとき、換言すればそれを特定するための情報が既にジョブ記憶部３０に記憶されているときは（Ｓ７０２の判定がＮＯ）、そのままＳ７０６の画像形成処理に進む。
【００８０】
つぎに、デジタル複写機２からモード設定部の画面情報およびメニュー情報を送信するように要求された際の外部デジタル複写機４の応答処理手順を図１２に示すフローチャートに従って説明する。
【００８１】
Ｓ８０１で、デジタル複写機２からモード設定部の画面情報およびメニュー情報を送信するように要求があったか否かを判断し、その要求があったときは（Ｓ８０１の判定がＹＥＳ）、Ｓ８０２で、モード設定部の画面情報およびメニュー情報をデジタル複写機２に送信して終了する。前記要求がなければ（Ｓ８０１の判定がＮＯ）、そのまま終了する。
＜外部デジタル複写機４から転送されたジョブのモードを確認、設定、変更する時＞
デジタル複写機２において、外部デジタル複写機４から転送されたジョブをメモリリコールし、そのモードを確認、設定あるいは変更する時の処理手順を図６及び図１３に示すフローチャートに従って説明する。
【００８２】
図３に示すモード設定画面Ｐ１において、「ジョブリスト」を操作すると、図７に示すジョブリスト画面Ｐ２に遷移する。
【００８３】
ユーザーがジョブリストからジョブを選択する。選択するジョブは、プリント待機中のジョブ、プリント中のジョブ、プリント済のジョブのいずれであってもよい。
【００８４】
図６のＳ４０１で、ユーザーがジョブリストから外部デジタル複写機４からの転送ジョブを選択し、Ｓ４０２で、選択されたジョブがプリントジョブでないと判断され、Ｓ４１１で、外部デジタル複写機４から転送されたジョブであると判断されたときは、図１３のＳ９０１で、ジョブ管理部２７はそのジョブの転送元の外部デジタル複写機４を特定する。
【００８５】
Ｓ９０２では、モード設定画面管理部２８が、特定した外部デジタル複写機４のモード設定部の画面情報およびメニュー情報をモード設定画面記憶部３１から読み出し、Ｓ９０３では、その画面情報およびメニュー情報に基づいて、図１４に示すようなモード設定画面Ｐ４を前記オペレーションパネル２５の表示部４１に再現させる。
【００８６】
この後、図６のＳ４０６に進み、ユーザーがオペレーションパネル２５の表示部４１に再現されたモード設定画面Ｐ４を利用して、モードの確認、変更等の操作を行うと、変更等されたモードで画像がプリントされる。
実施例４
この例は、外部デジタル複写機４のモード設定部の画面情報及びメニュー情報を、デジタル複写機２に記憶しておくことなく、メモリリコール等されたときにその都度それらの情報を外部から取得するものである。
＜他の画像形成装置から転送されたジョブのモードを確認、設定、変更する場合＞
デジタル複写機２において、外部デジタル複写機４から転送されたジョブをメモリリコールし、そのモードを確認、設定あるいは変更する時の別の処理手順を図１０及び図１５のフローチャートに従って説明する。
【００８７】
図３に示すモード設定画面Ｐ１において、「ジョブリスト」を操作すると、図７のジョブリスト画面Ｐ２に遷移する。
【００８８】
ユーザーがジョブリストからジョブを選択する。選択するジョブは、プリント待機中のジョブ、プリント中のジョブ、プリント済のジョブのいずれであってもよい。
【００８９】
図１０のＳ６０１で、ユーザーがジョブリストから、外部デジタル複写機４からの転送ジョブを選択し、Ｓ６０２で、選択されたジョブがプリントジョブでないと判断され、Ｓ６１１で、外部デジタル複写機４から転送されたジョブであると判断されたときは、図１５のＳ１００１で、ジョブ管理部２７はそのジョブを転送した外部デジタル複写機４を特定する。
【００９０】
次に、Ｓ１００２で、転送元の外部デジタル複写機のモード設定部の画面情報及びメニュー情報を、外部から取得する。即ち、データ取得・解析部２３は、データ送受信部２１を介して外部装置に、転送元の外部デジタル複写機のモード設定部の画面情報及びメニュー情報の送信要求を出す。外部装置としては、転送元の外部デジタル複写機４であっても良いし、他の外部デジタル複写機４であっても良いし、ＰＣ３であっても良い。ただし、他の外部デジタル複写機４やＰＣ３の場合は、転送元の外部デジタル複写機のモード設定部の画面情報及びメニュー情報を有していることが必要である。
【００９１】
そして、Ｓ１００３で、外部からのモード設定部の画面情報およびメニュー情報を受信し、Ｓ１００４で、モード設定画面管理部２８は、受信した画面情報およびメニュー情報から、図１４に示すような転送元の外部デジタル複写機４のモード設定画面Ｐ４を、デジタル複写機２の表示部４１に再現させる。
【００９２】
この後、図１０のＳ６０６に進み、ユーザーがオペレーションパネル２５の表示部４１に再現されたモード設定画面Ｐ４を利用して、モードの確認、変更等の操作を行うと、変更等されたモードで画像がプリントされる。
【００９３】
この処理では、転送元の外部デジタル複写機４の画面情報およびメニュー情報がモード設定画面記憶部３１に記憶されていなくても、外部からモード設定部の画面情報およびメニュー情報を取得するので、取得情報を基にして、転送元の外部デジタル複写機４におけるモード設定画面をデジタル複写機２の表示部４１に再現可能となる。
【００９４】
以上の実施形態では、画像処理装置２および外部画像処理装置４が、画像形成装置の一つであるデジタル複写機である場合を例にして説明したが、デジタル複写機に限定されないことはなく、プリンタやファクシミリなどの他の画像形成装置や、他の画像処理であっても良い。
【００９５】
請求項１に係る発明によれば、オペレーションパネル上にプリンタドライバのモード設定画面が再現されるので、この再現画面によって、モードの確認等をコンピュータ側の画面操作と同じ操作感で手軽に行うことができる画像処理装置を提供できる。従って、例えば複写機を主としてプリンタとして使用するようなユーザーにとっても、非常に使い勝手の良い画像処理装置となる。また、受信画像データを生成したプリンタドライバの画面情報およびメニュー情報が前記記憶手段に記憶されていなくても、コンピュータからこれら情報を取得できるから、取得された情報を基にして、モード設定画面をオペレーションパネル上に再現可能となる。
【００９６】
請求項２に係る発明によれば、読み込み済のプリントジョブのモードの設定や変更を、コンピュータ側の画面操作と同様の感覚で、容易に行える。
【００９７】
請求項３に係る発明によれば、メモリリコールされたプリントジョブのモードの確認、変更などを、コンピュータ側の画面操作と同様の感覚で容易に行うことができる。
【０１００】
請求項４に係る発明によれば、オペレーションパネル上に他の画像処理装置のモード設定画面が再現されるので、この再現画面からモードの確認等を、他の処理装置での画面操作と同じ操作感で手軽に行える。また、画面情報およびメニュー情報が記憶手段に記憶されていなくても、転送元の画像処理装置からモード設定部の画面情報およびメニュー情報が取得され、取得情報を基にして、転送元の画像処理装置のモード設定画面をオペレーションパネル上に再現できる。
【０１０１】
請求項５に係る発明によれば、他の画像処理装置から転送されたジョブのモードの設定や変更を容易に行える。
【０１０２】
請求項６に係る発明によれば、一旦送信され、記憶手段に格納後、再度呼び出された転送ジョブのモードの変更や確認等を、転送元のオペレーションパネルの画面操作と同じ操作感で手軽に行える。
【図面の簡単な説明】
【図１】この発明の一実施形態に係る画像処理装置を含む画像形成システムの概要を示す構成図である。
【図２】同じく画像処理装置の電気的構成を示すブロック図である。
【図３】同じく画像処理装置のオペレーションパネルの正面図である。
【図４】コンピュータからプリントジョブを受信した場合の処理手順を示すフローチャートである（実施例１）。
【図５】画像処理装置からの画面情報およびメニュー情報の要求を受けたコンピュータ側の応答処理手順を示すフローチャートである（実施例１）。
【図６】同じく画像処理装置側でコンピュータからのプリントジョブのモードを確認あるいは変更等する場合の処理手順を示すフローチャートである（実施例１）。
【図７】ジョブリスト表示画面を表示したオペレーションパネルの正面図である。
【図８】コンピュータからのプリントジョブのモード設定画面を再現したオペレーションパネルの正面図である。
【図９】画像処理装置がコンピュータからプリントジョブを受信した場合の別の処理手順をを示すフローチャートである（実施例２）。
【図１０】画像処理装置側でコンピュータからのプリントジョブのモードを確認あるいは変更等する場合の処理手順を示すフローチャートである（実施例２）。
【図１１】画像処理装置が他の画像処理装置からの転送ジョブをプリントする場合の処理手順を示すフローチャートである（実施例３）。
【図１２】画像処理装置からの画面情報およびメニュー情報の送信要求を受けた他の画像処理装置側の応答処理手順を示すフローチャートである（実施例３）。
【図１３】画像処理装置で他の画像処理装置からの転送ジョブのモードを確認あるいは変更等する場合の処理手順を示すフローチャートである（実施例３）。
【図１４】他の画像処理装置からの転送ジョブのモード設定画面を再現したオペレーションパネルの正面図である。
【図１５】画像処理装置で他の画像処理装置からの転送ジョブのモードを確認あるいは変更等する場合の別の処理手順をを示すフローチャートである（実施例４）。
【符号の説明】
２・・・・・・・・デジタル複写機（画像処理装置）
３・・・・・・・・コンピュータ
４・・・・・・・・外部デジタル複写機（他の画像処理装置）
２１・・・・・・・データ送受信部
２３・・・・・・・データ取得・解析部
２５・・・・・・・オペレーションパネル
２７・・・・・・・ジョブ管理部
２８・・・・・・・モード設定画面管理部
３０・・・・・・・ジョブ記憶部
３１・・・・・・・モード設定画面記憶部
３４・・・・・・・制御部
３５・・・・・・・画像形成部
４１・・・・・・・表示部
【図１】
0004151214.tif 000002
【図２】
0004151214.tif 000003
【図３】
0004151214.tif 000004
【図４】
0004151214.tif 000005
【図５】
0004151214.tif 000006
【図６】
0004151214.tif 000007
【図７】
0004151214.tif 000008
【図８】
0004151214.tif 000009
【図９】
0004151214.tif 000010
【図１０】
0004151214.tif 000011
【図１１】
0004151214.tif 000012
【図１２】
0004151214.tif 000013
【図１３】
0004151214.tif 000014
【図１４】
0004151214.tif 000015
【図１５】
0004151214.tif 000016